(57)【特許請求の範囲】
【請求項１】
帯状の隔壁が複数平行に配設され、
当該各隔壁間に蛍光体が塗付されると共に、前記隔壁と平行に複数のアドレス電極が配設されてなる第１の基板と、当該第１の基板に対向して配設され、前記アドレス電極に対して交差する方向に複数の維持電極が配設される第２の基板とを備えるプラズマディスプレイパネルにおいて、
前記アドレス電極が相隣る隔壁間において当該隔壁の略全長に亘り連続して複数に分岐した分岐電極で形成され、前記相隣る隔壁間に形成される各分岐電極が、前記複数の維持電極に対応する部分に拡幅状に形成され、当該拡幅状の部分が各分岐電極相互間で隣接しないように形成されることを特徴とするプラズマディスプレイパネル。
【請求項２】
請求項１に記載のプラズマディスプレイにおいて、前記相隣る隔壁間に形成される各分岐電極が、当該隔壁間に形成される他の分岐電極と一又は複数の単位発光領域ごとに接合されることを特徴とするプラズマディスプレイパネル。
【発明の詳細な説明】
【０００１】
【発明の属する技術分野】
本発明は、アドレス電極により単位発光領域を選択し、一対の維持電極間でのガス放電を利用して表示を行うプラズマディスプレイパネルに関し、特にアドレス電極の電極構造を改良したプラズマディスプレイパネルに関するものである。
【０００２】
【従来の技術】
従来、この種のプラズマディスプレイパネルとしては、特開２００１−１２６６２９号に開示されるものがあり、以下図８に基づいて説明する。図８は従来のプラズマディスプレイパネルにおける維持電極とアドレス電極との位置関係を示す図であり、図８（Ｂ）、図８（Ｃ）は図８（Ａ）のｂ―ｂ矢視断面図及びｃ―ｃ矢視断面図である。
【０００３】
前記各図において従来のプラズマディスプレイパネルは、行選択のための複数の第２の維持電極１１３、第１の維持電極１１４、及び行選択のための複数のアドレス電極２２２を有し、各列において放電空間が略直線状の隔壁２２４で区画され画面の全長にわたって連続した構造のプラズマディスプレイパネルにおいて、アドレス電極２２２を画面における各列の隔壁間２２４の領域において第２の維持電極１１３の金属膜１１３ａとの対向面積に比べて第１の維持電極１１４との対向面積が小さいパターンに形成する構成である。
【０００４】
行選択に用いない第１の維持電極１１４とアドレス電極２２２との放電空間を介して対向する範囲が小さくなるようにアドレス電極２２２の形状又は配置位置を選定し、行選択に用いる第２の維持電極１１３とアドレス電極２２２との対向面積を十分に大きくしているので、アドレス放電がアドレス電極２２２と行選択に用いる第２の維持電極１１３との対向部分に局所化され、アドレス放電の信頼性を確保することができる。
また、同様に従来のプラズマディスプレイパネルとしては、特開平４−５８４３７号に開示されるものがあり、以下図９に基づいて説明する。図９は従来のプラズマディスプレイパネルの部分斜視図を示す。
【０００５】
前記図９においてプラズマディスプレイパネルは、放電により発光する蛍光体２２５を備えた複数の単位発光領域Ｐと、互いに平行な複数の維持電極対１１０と、各維持電極対１１０に交差するアドレス電極２２２とを有し、前記蛍光体２２５を選択的に発光させるように構成されたプラズマディスプレイパネルにおいて、前記第２の維持電極１１３及び第１の維持電極１１４が、延長方向に細長い面放電を発生させて前記単位発光領域Ｐを形成し、前記アドレス電極２２２が、前記各単位発光領域Ｐに対して複数本に分割されて設けられている構成である。
【０００６】
以上のように構成されたプラズマディスプレイパネルでは、単位発光領域Ｐ内において、縦方向の中央部を通るように配置された維持電極対１１０の一方の第２の電極１１３と共通接続された２本のアドレス電極２２２のそれぞれとが放電空間を介して交差した各交点に、それぞれ選択放電セルＷＣが画定される。つまり、第２の維持電極１１３及び第１の維持電極１１４の互いの対向部に画定される維持放電セルＳＣで生じる放電を２個の選択放電セルＷＣによって制御することになる。したがって、１つの選択放電セルＷＣが放電の制御を受け持つ領域の大きさは、単位発光領域Ｐのほぼ半分の大きさとなり、単位発光領域Ｐに対応した蛍光体２２５の発光を確実に制御可能である。
【０００７】
【発明が解決しようとする課題】
前者の従来のプラズマディスプレイパネルは以上のように構成されていたことから、選択行における列方向へのアドレス放電の拡がりを抑制してアドレス電極２２２に対する電荷の帯電領域を狭めることはできるものの、アドレス放電により隣接する単位発光領域Ｐにおけるアドレス電極２２２の電位レベルが低下することによって隣接の単位発光領域Ｐのアドレッシングが確実に行うことができないという課題を有する。
【０００８】
また、後者の従来のプラズマディスプレイパネルは以上のようにアドレス電極２２２が単位発光領域Ｐに対して複数本に分割されて設けられているが、分割間隔が狭いため、第２の維持電極１１３とアドレス電極２２２とのアドレス放電を生じた場合に分割されたアドレス電極２２２全体に対して電荷の帯電を生じ、前者の従来のプラズマディスプレイパネルと同様に、隣接する単位発光領域Ｐにおけるアドレス電極２２２の電位レベルが低下することによって隣接の単位発光領域Ｐのアドレッシングが確実に行うことができないという課題を有する。
【０００９】
本発明は、前記課題を解消するためになされたもので、アドレス放電による隣接する単位発光領域の影響を抑制し、隣接行のアドレス放電を円滑に行うことができるプラズマディスプレイパネルを提供することを目的とする。
【００１０】
【課題を解決するための手段】
本発明に係るプラズマディスプレイパネルは、帯状の隔壁が複数平行に配設され、当該各隔壁間に蛍光体が塗付されると共に、前記隔壁と平行に複数のアドレス電極が配設されてなる第１の基板と、当該第１の基板に対向して配設され、前記アドレス電極に対して交差する方向に複数の維持電極が配設される第２の基板とを備えるプラズマディスプレイパネルにおいて、前記アドレス電極が相隣る隔壁間において当該隔壁の略全長に亘り連続して複数に分岐した分岐電極で形成され、前記相隣る隔壁間に形成される各分岐電極が、前記複数の維持電極に対応する部分に拡幅状に形成され、当該拡幅状の部分が各分岐電極相互間で隣接しないように形成されるものである。このように本発明においては、一の分岐電極と維持電極とでアドレス放電が発生し、一の分岐電極に電荷が帯電して電位レベルが低下するが、アドレス電極が相隣る隔壁間で複数の分岐電極を有し、分岐電極が維持電極に対して拡幅状に形成されているので、一の分岐電極以外の他の分岐電極に十分な電位レベルを維持したまま、隣接する維持電極で他の分岐電極と安定したアドレス放電を発生させることができると共に、一の分岐電極と維持電極とでアドレス放電が発生して一の分岐電極に電荷が帯電する場合に、分岐電極の拡幅状の部分に帯電する電荷が集中し、一の分岐電極以外の他の分岐電極に十分なアドレス電極の電位レベルを有し、隣接する維持電極で他の分岐電極とより安定したアドレス放電を発生させることができる。
【００１１】
即ち、１つのアドレス期間で、縦方向に隣接してアドレスを行うセルに対して、連続してアドレスを行うとき、上下のアドレスを行うセルに対して、分岐したアドレス電極の何れか異なるアドレス電極でアドレスを行うことができる。
ここで、１つのアドレス期間とは、アドレス電極上の壁電荷が次のアドレスへ影響を及ぼす範囲（リセット期間を隔てて初期化を行うまでの）で行われるアドレスを１つのアドレス期間とする。
また、ここで、縦方向に隣接してアドレスを行うセルとは、前記１つのアドレス期間内で隣接してアドレスを行うセルであり、実際に上下に形成されているセルとは限らず、インターレース等の場合は、１つのアドレス期間内では、１ラインおきになる。
【００１３】
また、本発明に係るプラズマディスプレイパネルは必要に応じて、前記相隣る隔壁間に形成される各分岐電極が、当該隔壁間に形成される他の分岐電極と一又は複数の単位発光領域ごとに接合されるものである。このように本発明においては、アドレス電極が相隣る隔壁間で複数の分岐電極を有し、当該分岐電極が他の分岐電極と接合されているので、安定したアドレス放電を発生させることができると共に、分岐電極の一部が断線した場合に導通を確保することができ、高い信頼性を実現することができる。
【００１４】
【発明の実施の形態】
（本発明の第１の実施形態）
本発明に係る第１の実施形態に係るプラズマディスプレイパネルを、図１ないし図５に基づいて説明する。図１は本実施形態に係るプラズマディスプレイパネルの部分斜視図、図２は本実施形態に係るプラズマディスプレイパネルの背面基板における電極構造図、図３は本実施形態に係るプラズマディスプレイを駆動する際のフレーム構成図、図４は本実施形態に係るプラズマディスプレイにおける駆動波形図、図５は図４の駆動に相関する壁電荷の状態図である。
【００１５】
前記各図において本実施形態に係るプラズマディスプレイパネルは、維持電極対１０が形成された前面基板１とアドレス電極２２を形成された背面基板２とを対向して配置し、これら基板間にキセノンをネオンに混合した放電ガスを封入している構成である。さらに詳細には、前記前面基板１は、この前面基板１の基材となるガラス基板１１の内面に互いに平行に複数対配列される第１の維持電極１４及び第２の維持電極１３と、前記第１の維持電極１４及び第２の維持電極１３を被覆する誘電体層１５と、この誘電体層１５表面を被覆するＭｇＯからなる保護層１６とを備える構成である。この第１の維持電極１４及び第２の維持電極１３は、対をなして表示のための維持放電を発生するもので、駆動回路（図示しない）から電圧の供給を受ける幅の狭いバス電極１３ａ、１４ａと、維持放電（主放電）を発生する幅の広い透明導電膜１３ｂ、１４ｂからなる。
また、前記背面基板２は、この背面基板２の基材となるガラス基板２１の内面に前記維持電極対１０と交差するように配列されたアドレス電極２２と、このアドレス電極２２を覆う誘電体層２３と、この誘電体層２３上にアドレス電極２２と平行して設けられた放電空間区画用の隔壁２４とを備える構成である。
【００１６】
前記背面基板２のアドレス電極２２は、本発明の特徴に従って相隣る隔壁２４間において全長に亘って連続して２本に分岐した分岐電極２２ａ、２２ｂで形成され、前記前面基板１の維持電極対１０に直交して配置されており、その電極交点において単位発光領域を構成している。そして単位発光領域の選択は第２の維持電極１３にマイナスの電圧を印加してアドレス電極２２にプラスの電圧を印加し、第２の維持電極１３と前記いずれかの分岐電極２２ａ、２２ｂとの電圧が放電開始電圧を越えることでアドレス放電を発生してアドレッシングを（選択）実行する構成である。このアドレス放電により一方の分岐電極２２ａ（又は２２ｂ）に負電荷が形成され、この一方の分岐電極２２ａ（又は２２ｂ）に負電荷が形成されるため隣接の第２の維持電極１３と一方の分岐電極２２ａ（又は２２ｂ）とでアドレス放電は発生することなく、隣接の第２の維持電極１３と負電荷が形成されていない他方の分岐電極２２ｂ（又は２２ａ）とでアドレス放電が発生し、以下同様に各分岐電極２２ａ、２２ｂが交互に第２の維持電極１３とアドレス放電を発生する。
【００１７】
前記背面基板２の隔壁２４と誘電体層２３により形成された放電空間となる各凹溝内には、Ｒ、Ｇ、Ｂの３色の蛍光体層２５が色分けされて設けられており、この蛍光体層２５が維持放電時の紫外線により励起されて発光する。各画素（ピクセル）は、Ｒ、Ｇ、Ｂの各発光強度より色調が特定される。
【００１８】
次に、前記構成に基づく本実施形態に係るプラズマディスプレイパネルを使用したプラズマディスプレイ装置の画像表示動作について説明する。
１画面を表示する１フレームは複数（例えば８つ）のサブフレームからなる（図３参照）。このサブフレームは、画面を構成するパネル全体の単位発光領域の電荷の分布を一様化させるリセット期間と、表示すべき単位発光領域Ｐの発光を選択するためアドレス電極２２と第２の維持電極１３との間でアドレス放電を発生させて壁電荷を形成するアドレス期間と、ペアとなる第１の維持電極１４と第２の維持電極１３との間で前記壁電荷を利用して単位発光領域Ｐの発光を維持するための放電を発生させるサステイン期間とからなる。
【００１９】
前記各期間で図４が示す駆動波形の電圧を、アドレス電極２２、第１の維持電極１４及び第２の維持電極１３に印加する。図５（Ａ）は初期状態が発光状態である単位発光領域Ｐを発光させる場合における図４の駆動に相関する壁電荷の状態図であり、図５（Ｂ）は初期状態が発光していない状態である単位発光領域Ｐを発光させない場合における図４の駆動に相関する壁電荷の状態図である。
【００２０】
リセット期間では、発光している単位発光領域Ｐ（図５（Ａ）時刻ｔ０）、発光していない単位発光領域Ｐ（図５（Ｂ）時刻ｔ０）に拘らず画面を構成する全ての単位発光領域Ｐを対象に、第１の維持電極１４に負のパルスを印加すると共に第２の維持電極１３に正のパルスを印加して放電を生じさせ、図５（Ａ）時刻ｔ１及び図５（Ｂ）時刻ｔ１に示すように第２の維持電極１３に負電荷を形成して第１の維持電極１４及びアドレス電極２２に正電荷を形成する。次に、全ての単位発光領域Ｐを対象に前記印加とは逆に、第１の維持電極１４に正のパルスを印加すると共に第２の維持電極１３に負のパルスを印加し、図５（Ａ）時刻ｔ２及び図５（Ｂ）時刻ｔ２に示すように所定量の壁電荷のみを残存させ、全ての単位発光領域Ｐで壁電荷の形成を均一とする。
【００２１】
アドレス期間では、発光させる単位発光領域Ｐに対してのみ所定量の壁電荷を形成させる。図４時刻ｔ３ａに示すようにスキャンパルスを各第２の維持電極１３に順次印加すると共に、このスキャンパルスが印加された第２の維持電極１３により特定される単位発光領域Ｐのうち発光させる単位発光領域Ｐに対応したアドレス電極２２にアドレスパルスを印加する。スキャンパルスを印加された第２の維持電極１３とアドレスパルスを印加されたアドレス電極２２の分岐電極２２ａ、２２ｂとに対応した単位発光領域Ｐのみで、この第２の維持電極１３とアドレス電極２２との間でアドレス放電が生じ、図５（Ａ）時刻ｔ３ａに示すように第２の維持電極１３に正電荷を形成して第１の維持電極１４及びアドレス電極２２に負電荷を形成して所定量の壁電荷を形成する。このアドレス放電によりアドレス電極２２に負電荷が形成されるが、アドレス電極２２が分岐電極２２ａ、２２ｂで形成されているためどちらか一方の分岐電極２２ａ、２２ｂで負電荷が形成される。
【００２２】
例えば、単位発光領域Ｐ１（図２を参照）をアドレッシングした場合に分岐電極２２ａで負電荷が既に形成されているとすると、この負電荷の形成の影響により隣接する単位発光領域Ｐ２の第２の維持電極１３と分岐電極２２ａでアドレス放電は生じることができないが、隣接する単位発光領域Ｐ２の第２の維持電極１３と負電荷が形成されていない分岐電極２２ｂとの間でアドレス放電を生じる。
【００２３】
以下、同様に全ての発光させる単位発光領域Ｐに対してアドレス放電を生じさせ、所定量の壁電荷を形成することで、アドレス期間を終了する。ここで、アドレス期間においては、発光させる単位発光領域のみにアドレス放電を生じさせて壁電荷を形成した（いわゆる書込みアドレス）が、予め画面を構成する全ての単位発光領域Ｐで所定量壁電荷を形成し、発光させない単位発光領域Ｐに対してのみ壁電荷を消去させるためのアドレス放電を発生させる（いわゆる消去アドレス）こともでき、同様の結果が得られる。
【００２４】
サステイン期間にサステインパルスとして第１の維持電極１４に負のパルスを印加すると共に第２の維持電極１３に正のパルスを印加し、前記アドレス期間で形成された所定量の壁電荷を有する単位発光領域Ｐに対応する第１の維持電極１４と第２の維持電極１３との間で面放電が生じ、図５（Ａ）時刻ｔ４に示すように第２の維持電極１３に負電荷を形成して第１の維持電極１４に正電荷を形成して所定量の壁電荷を形成する。次に、第１の維持電極に正のパルスを印加すると共に第２の維持電極１３に負のパルスを印加して同様に所定量の壁電荷を有する単位発光領域Ｐで面放電を生じさせ、図５（Ａ）時刻ｔ５に示すように第２の維持電極１３に正電荷を形成して第１の維持電極１４に負電荷を形成して再び所定量の壁電荷を形成する。
【００２５】
前記初期状態で発光していない単位発光領域Ｐが発光しない場合における壁電荷の状態は、アドレス期間で図４時刻ｔ３ａに示すアドレスパルスは印加されず、サステイン期間でサステインパルスが第１の維持電極１４と第２の維持電極１３との放電開始電圧よりも低く、第１の維持電極１４と第２の維持電極１３との面放電は生じないので、アドレス期間及びサステイン期間で図５（Ｂ）時刻ｔ２の壁電荷の状態のままで変化しない。
【００２６】
前記初期状態で発光していた単位発光領域Ｐが発光しない場合における壁電荷の状態は、リセット期間中に図５（Ａ）時刻ｔ０からｔ１へ、図５（Ａ）時刻ｔ１からｔ２へと示す壁電荷の状態となり、アドレス期間及びサステイン期間に前記初期状態で発光していない単位発光領域Ｐが発光しない場合と同様に、図５（Ａ）時刻ｔ２が示す壁電荷の状態のままで変化しない。（即ち、図５（Ｂ）時刻ｔ３ｂからｔ５の状態である。）
前記初期状態で発光していない単位発光領域Ｐが発光する場合における壁電荷の状態は、リセット期間中に図５（Ｂ）時刻ｔ０からｔ１へ、図５（Ｂ）時刻ｔ１からｔ２へと示す壁電荷の状態となり、アドレス期間中及びサステイン期間中に図５（Ａ）時刻ｔ２からｔ３ａへ、図５（Ａ）時刻ｔ３ａからｔ４へ、図５（Ａ）時刻ｔ４からｔ５へと示す壁電荷の状態となる。
【００２７】
プラズマディスプレイ装置の階調表示は、サブフレームのサステイン期間の長さを変えて発光回数を変えることで行っている。例えば、８つのサブフレームのサステイン期間の長さ（発光回数）を、１：２：４：８：１６：３２：６４：１２８の比率にすることで、単位発光領域Ｐ毎の階調は２５６段階となり、この単位発光領域Ｐが３つ集まることで１画素となるため、１６７７万（＝２５６＊２５６＊２５６）万色のフルカラー表示が可能となる。
【００２８】
本実施形態に係るプラズマディスプレイパネルによれば、いずれか一方の分岐電極２２ａ（又は２２ｂ）と第２の維持電極１３とでアドレス放電が発生して一方の分岐電極２２ａ（又は２２ｂ）に電荷が帯電して分岐電極２２ａ（又は２２ｂ）の電位レベルが低下するが、アドレス電極２２が相隣る隔壁２４間で複数の分岐電極２２ａ、２２ｂを有するので、電荷が帯電していない他方の分岐電極２２ｂ（又は２２ａ）が十分な分岐電極２２ｂ（又は２２ａ）の電位レベルを有するため、隣接の第２の維持電極１３と他方の分岐電極２２ｂ（又は２２ａ）とで安定したアドレス放電を発生させることができる。
【００２９】
（本発明の第２の実施形態）
本発明に係る第２の実施形態に係るプラズマディスプレイパネルを、図６に基づいて説明する。図６は本実施形態に係るプラズマディスプレイパネルの背面基板における電極構造図を示す。
本実施形態に係るプラズマディスプレイパネルは、前記第１の実施形態と同様に構成され、前記各隣接する隔壁２４間に形成される連続した各分岐電極２２ａ、２２ｂのいずれか一つが、前記各第２の維持電極１３に対応する部分に拡幅状に形成される拡幅部２２ｃを有し、当該拡幅部２２ｃが各分岐電極２２ａ、２２ｂ相互間で隣接しないように形成されることを異にする構成である。
【００３０】
前記分岐電極２２ａ、２２ｂは、拡幅部２２ｃを有することで表面積がより広くなってより多くの正電荷を有し、第２の維持電極１３とのアドレス放電により負電荷が分岐電極２２ａ、２２ｂに形成されても多くは拡幅部２２ｃに蓄積し、隣接の第２の維持電極１３に対応する分岐電極２２ａ、２２ｂにアドレス放電が生じない程に負電荷が形成されることはなく、以降の第２の維持電極１３と分岐電極２２ａ、２２ｂとのアドレス放電が生じる。
【００３１】
前記構成において本実施形態に係るプラズマディスプレイパネルは、前記第１の実施形態と同様に動作するが、分岐電極２２ａ、２２ｂが第２の維持電極１３に対して拡幅状に形成されているので、いづれか一方の分岐電極２２ａ（又は２２ｂ）と第２の維持電極１３とのアドレス放電が発生して一方の分岐電極２２ａ（又は２２ｂ）に電荷が帯電する場合に、分岐電極２２ａ（又は２２ｂ）の拡幅部２２ｃに電荷が集中して帯電し、他方の分岐電極２２ｂ（又は２２ａ）に電荷が帯電することなく十分な分岐電極２２ｂ（又は２２ａ）の電位レベルで、他方の分岐電極２２ｂ（又は２２ａ）と隣接の第２の維持電極１３とのアドレス放電を発生させることができ、以降のアドレス放電も同様に生じて、より安定したアドレッシングを行うことができる。
【００３２】
（本発明の第３の実施形態）
本発明に係る第３の実施形態に係るプラズマディスプレイパネルを、図７に基づいて説明する。図７は本実施形態に係るプラズマディスプレイパネルの背面基板における電極構造図を示す。
【００３３】
本実施形態に係るプラズマディスプレイパネルは、前記第２の実施形態と同様に構成され、前記各隣接する隔壁２４間に形成される連続したアドレス電極２２の一方の分岐電極２２ａが、この隔壁２４間に形成されるアドレス電極２２の他方の分岐電極２２ｂに１つの単位発光領域Ｐ毎に接合されることを異にする構成である。この分岐電極２２ａ、２２ｂの接合部２２αの位置は、一方の分岐電極２２ａの第２の維持電極１３に対応する部分と他方の分岐電極２２ｂの第２の維持電極１３に対応する部分との中央である。このように接合部２２αを位置付けることで、アドレス放電済みの第２の維持電極１３に隣接する第２の維持電極１３の対応する分岐電極２２ａ、２２ｂがアドレス放電済みの第２の維持電極１３に対応する分岐電極２２ａ、２２ｂに形成されている負電荷の影響を受けることなく、安定したアドレス放電を生じることができる。
【００３４】
前記構成において本実施形態に係るプラズマディスプレイパネルは、前記第１の実施形態と同様に動作するが、一方の分岐電極２２ａが他方の分岐電極２２ｂと接合されているので、アドレス電極２２の一部が断線した場合に導通を確保することができ、高い信頼性を実現することができる。
【００３５】
（その他の実施形態）
前記第１ないし３の実施形態に係るプラズマディスプレイパネルにおいては、アドレス電極２２が２本の分岐電極２２ａ、２２ｂを有しているが、アドレス電極２２が３本以上の分岐電極２２ａ、２２ｂを有することもできる。
【００３６】
前記第１ないし３の実施形態に係るプラズマディスプレイパネルにおいては、アドレス電極２２が第１の維持電極１４との対向面積を小さくすることもでき、アドレス放電がアドレス電極２２と第２の維持電極１３とに局所化されてアドレス放電の干渉が防止されるので、より確実なアドレッシングをすることができる。
【００３７】
また、前記第１ないし３の実施形態に係るプラズマディスプレイパネルにおいて、維持電極対１０における両側に透明導電膜１３ｂ、１４ｂを有し、維持電極の両側で放電させることもできる。
【００３８】
【発明の効果】
以上のように本発明においては、一の分岐電極と維持電極とでアドレス放電が発生し、一の分岐電極に電荷が帯電して電位レベルが低下するが、アドレス電極が相隣る隔壁間で複数の分岐電極を有し、分岐電極が維持電極に対して拡幅状に形成されているので、一の分岐電極以外の他の分岐電極に十分な電位レベルを維持したまま、隣接する維持電極で他の分岐電極と安定したアドレス放電を発生させることができると共に、一の分岐電極と維持電極とでアドレス放電が発生して一の分岐電極に電荷が帯電する場合に、分岐電極の拡幅状の部分に帯電する電荷が集中し、一の分岐電極以外の他の分岐電極に十分なアドレス電極の電位レベルを有し、隣接する維持電極で他の分岐電極とより安定したアドレス放電を発生させることができる。
【００４０】
また、本発明においては、アドレス電極が相隣る隔壁間で複数の分岐電極を有し、当該分岐電極が他の分岐電極と接合されているので、安定したアドレス放電を発生させることができると共に、分岐電極の一部が断線した場合に導通を確保することができ、高い信頼性を実現することができるという効果を有する。
【図面の簡単な説明】
【図１】本発明の第１の実施形態に係るプラズマディスプレイパネルの部分斜視図である。
【図２】本発明の第１の実施形態に係るプラズマディスプレイパネルの背面基板における電極構造図である。
【図３】本発明の第１の実施形態に係るプラズマディスプレイを駆動する際のフレーム構成図である。
【図４】本発明の第１の実施形態に係るプラズマディスプレイにおける駆動波形図である。
【図５】図４の駆動に相関する壁電荷の状態図である。
【図６】本発明の第２の実施形態に係るプラズマディスプレイパネルの背面基板における電極構造図である。
【図７】本発明の第３の実施形態に係るプラズマディスプレイパネルの背面基板における電極構造図である。
【図８】従来のプラズマディスプレイパネルにおける主電極とアドレス電極との位置関係を示す図
【図９】従来のプラズマディスプレイパネルの部分斜視図
【符号の説明】
１、１００    前面基板
２、２００    背面基板
１０、１１０  維持電極対
１１、２１、１１１、２２１  ガラス基板
１３、１１３  第２の維持電極
１３ａ、１１３ａ、１４ａ、１１４ａ  バス電膜
１３ｂ、１１３ｂ、１４ｂ、１１４ｂ  透明導電膜
１４、１１４  第１の維持電極
１５、２３、１１５、２２３  誘電体層
１６、１１６  保護層
２２、２２２  アドレス電極
２２ａ、２２ｂ  分岐電極
２２ｃ  拡幅部
２２α  接合部
２４、２２４  隔壁
２５、２２５  蛍光体層
Ｐ、Ｐ１、Ｐ２  単位発光領域
ＳＣ  維持放電セル
ＷＣ  選択放電セル
【図１】
0003940899.tif 000002
【図２】
0003940899.tif 000003
【図３】
0003940899.tif 000004
【図４】
0003940899.tif 000005
【図５】
0003940899.tif 000006
【図６】
0003940899.tif 000007
【図７】
0003940899.tif 000008
【図８】
0003940899.tif 000009
【図９】
0003940899.tif 000010